(57)【要約】【課題】低コストで製造でき、かつ、一部分を見て退避方向が容易にわかる消防用ホースを提供する。【解決手段】消防用ホース１は、たて糸３とよこ糸４とで斜文線Ａを有する縦斜文織構造の筒状に織られるジャケット１１を有する。この消防用ホース１は、第１の斜線模様部３１Ａと第１の直線模様部３２Ａとを備える。第１の斜線模様部３１Ａは、第１の色に着色した第１の糸３Ａと未着色の素地の糸３Ｚとをたて糸３として交互に複数本配列して構成されている。第１の直線模様部３２Ａは、ジャケット１１の周方向に第１の斜線模様部３１Ａの一方の端部に続けて第１の糸３Ａをたて糸３として複数本配列して構成される。【選択図】図３
2017185042.tif 000002
【特許請求の範囲】
【請求項１】
たて糸とよこ糸とで斜文線を有する縦斜文織構造の筒状に織られたジャケットを有する消防用ホースであって、
第１の色に着色した第１の糸と未着色の素地の糸とを前記たて糸として交互に複数本配列して構成された第１の斜線模様部と、
前記ジャケットの周方向に前記第１の斜線模様部の一方の端部に続けて前記第１の糸を前記たて糸として複数本配列して構成された第１の直線模様部と、
を備えることを特徴とする消防用ホース。
【請求項２】
前記第１の色と異なる第２の色に着色した第２の糸と前記素地の糸とをたて糸として交互に複数本配列して構成された第２の斜線模様部と、
前記ジャケットの周方向に前記第１の斜線模様部に対して前記第１の直線模様部が配置された側と反対側の前記第２の斜線模様部の端部に続けて前記第２の糸を前記たて糸として複数本配列して構成された第２の直線模様部と、をさらに備える
ことを特徴とする請求項１に記載された消防用ホース。
【請求項３】
前記第１の斜線模様部及び前記第１の直線模様部で構成される第１のパターンと、前記第２の斜線模様部及び前記第２の直線模様部で構成される第２のパターンとの間の前記ジャケットの外面に前記たて糸に沿って反射材を含む帯状の合成樹脂層、をさらに備える
ことを特徴とする請求項２に記載された消防用ホース。
【請求項４】
前記第１の斜線模様部及び前記第１の直線模様部で構成される第１のパターンと、前記第２の斜線模様部及び前記第２の直線模様部で構成される第２のパターンとの間に、第３の色に着色された第３の糸を前記たて糸として複数本配置した識別表示部をさらに備える
ことを特徴とする請求項２に記載された消防用ホース。
【発明の詳細な説明】
【技術分野】
【０００１】
本発明は、消防用ホースに関する。
【背景技術】
【０００２】
火災現場において、消防用ホースは、水源であるポンプ車から放水側である火災現場まで、複数本接続されて引き回される。ビル火災などの場合、消防隊員は、放水ノズルを抱えて建物の置くまで進入し、消火活動を行う。建物内部では外部からの光が届きにくく、建物の外へ退避するための帰還経路がわかりにくい。そして、鎮火あるいは水を使い切った時や、要救助者を連れて脱出する等、退避すべき状況となった場合、消防用ホースや明かりを頼りに、建物外に退避する。
【０００３】
消火活動において、火災現場が夜間または停電状態になっていた場合、建屋内は暗闇になる。したがって、消防隊員は、複雑な構造をした建屋内から消防用ホースを頼りに帰還する必要がある。このため、特許文献１−３のようにメス金具側や水源側を表示する方法が示されている。
【０００４】
特許文献１には、メス金具側を指し示す形状のマーク又は織柄として発光性物質を配合した合成繊維を織り込んだ消防用ホースが記載されている。
【０００５】
特許文献２には、縦色線が断続線として描かれ、かつ断続している縦色線を構成する各パーツ線の長さが、所定の規則性を有してホース長さ方向に変化して描かれており、この規則性、例えば水源金具側に向かうにつれて、断続している各パーツの長さが短くなることによって方向を認識させる消防ホースが記載されている。
【０００６】
特許文献３には、ホースのジャケットの外面に避難方向を指示する蓄光性シートを設けた消防用ホースが記載されている。
【先行技術文献】
【特許文献】
【０００７】
【特許文献１】特開２００４−１３２４４３号公報
【特許文献２】特開２０１４−  ５９０２４号公報
【特許文献３】実用新案登録第３０９１２９１号公報
【発明の概要】
【発明が解決しようとする課題】
【０００８】
ところで、特許文献１では、マークを織柄として織り込むことが記載されているが、どのように織り込むか具体的に示されていない。通常の場合、特殊な織り機が必要であり、コストがかかるだけでなく、マークを形成するための糸を織り込むため、部分的にホースの強度が変わってしまう。また、特許文献２や特許文献３では、ホースのジャケットに合成樹脂製の縦色線やマークを貼り付けることが記載されているが、ホースは建屋内を引き回されることによって擦れるので、縦色線やマークが傷みやすく、確認しづらくなることも有る。
【０００９】
そこで、本発明は、低コストで製造でき、かつ、一部分を見て退避方向が容易にわかる消防用ホースを提供する。
【課題を解決するための手段】
【００１０】
本発明に係る一実施形態の消防用ホースは、たて糸とよこ糸とで斜文線を有する縦斜文織構造の筒状に織られるジャケットを有する。この消防用ホースは、第１の斜線模様部と第１の直線模様部とを備える。第１の斜線模様部は、第１の色に着色した第１の糸と未着色の素地の糸とをたて糸として交互に複数本配列して構成されている。第１の直線模様部は、ジャケットの周方向に第１の斜線部の一方の端部に続けて第１の糸をたて糸として複数本配列して構成されている。
【発明の効果】
【００１１】
本発明に係る消防用ホースによれば、第１の斜線模様部及び第１の直線模様部によって構成される第１のパターンが回転非対称の模様であり、第１の直線模様部に対して第１の斜線模様部が成す角度が鋭角である側と反対方向に向く矢印の連続模様に見える。この第１のパターンによって、消防用ホースに方向性を見出すことができるようになる。その結果、第１のパターンをポンプ車側（水源側）あるいはホース内の水の流れる方向に関連付けることで、この消防用ホースは、退避方向を示す機能を有することとなる。
【００１２】
また、第１の斜線模様部及び第１の直線模様部からなる第１のパターンは、第１の色に着色された第１の糸をたて糸として配置するだけでよいので、特別な織り機も必要なく安価に本発明の消防用ホースを製造することができる。
【図面の簡単な説明】
【００１３】
【図１】本発明に係る第１の実施形態の消防用ホースの斜視図。
【図２】図１の消防用ホースのジャケットのたて糸とよこ糸の配列を示す模式図。
【図３】図２の消防用ホースを織り上げたときの表面に現れる模様を示す平面図。
【図４】図３の消防用ホースの模様を模式的に示す図。
【図５】本発明に係る第２の実施形態の消防用ホースの模様を模式的に示す図。
【図６】本発明に係る第３の実施形態の消防用ホースの模様を模式的に示す図。
【図７】本発明に係る第４の実施形態の消防用ホースの模様を模式的に示す図。
【図８】本発明に係る第５の実施形態の消防用ホースの模様を模式的に示す図。
【発明を実施するための形態】
【００１４】
本発明に係る第１の実施形態の消防用ホース１について、図１から図４を参照して説明する。図１に示す消防用ホース１は、外層のジャケット１１と内層のライニング層を有するホース部１０と、このホース部１０のそれぞれ端部に装着された接続金具２１，２２とを備える。ジャケット１１は、図２に示すように、たて糸３とよこ糸４とで斜文線Ａを外表面に有する縦斜文織構造、本実施形態では、２／１斜文織構造の筒状に織られている。ライニング層は、ジャケット１１の内面にライニングされたゴムまたは合成樹脂からなる柔軟性を有した層である。
【００１５】
斜文織構造のジャケット１１は、たて糸３とよこ糸４から構成される。図２は、たて糸３とよこ糸４の配列を模式的に示す。たて糸３は、消防用ホース１の長さ方向に沿って並行に配置され、よこ糸４は、消防用ホース１の周方向に沿って螺旋状に配置される。たて糸３は、よこ糸４に対して、よこ糸４の二本分の太さに相当する長さの大ステッチがジャケット１１の外表面に現れ、よこ糸４の一本分の太さに相当する長さの小ステッチがジャケット１１の内側に現れることを繰り返すように織り込まれる。すなわち、大ステッチがジャケット１１の外側でよこ糸４を二本越え、小ステッチがジャケット１１の内側でよこ糸４を一本越えるように、よこ糸４に対してたて糸３が織り込まれる。この結果、隣り合うたて糸３どうしの大ステッチは、たて糸３に沿う方向によこ糸４の一本分の太さに相当する長さだけずれた配置となる。斜文線Ａは、隣り合うたて糸３の大ステッチが斜めに連なることで構成される。
【００１６】
実際のジャケット１１は、図３に示すように、よこ糸４がジャケット１１の外表面に現れないように、たて糸３を周方向に詰めて織り込まれる。この場合、隣り合うたて糸３の大ステッチが連なることによって構成される斜文線Ａは、図３に示すようにジャケット１１の表面に現れる。また、図３において大ステッチの長さ方向に並んで見える大ステッチどうしは隣り合うたて糸３どうしであり、かつ、よこ糸４が二本分ずれた位置に在る大ステッチどうしである。なお、本実施形態において、たて糸３は複数の糸を束ねた撚糸であり、さらにこの撚糸を２つ引き揃えて１つのたて糸３が構成されている。
【００１７】
また本実施形態では、たて糸３の一部を第１の色に着色した第１の糸３Ａに置き換えて、第１の斜線模様部３１Ａと第１の直線模様部３２Ａとを形成し、この第１の斜線模様部３１Ａ及び第１の直線模様部３２Ａで第１のパターン３０Ａを構成している。同様に、たて糸３の一部を第２の色に着色した第２の糸３Ｂに置き換えて、第２の斜線模様部３１Ｂと第２の直線模様部３２Ｂとを形成し、この第２の斜線模様部３１Ｂ及び第２の直線模様部３２Ｂで第２のパターン３０Ｂを構成している。さらに、本実施形態では、第１のパターン３０Ａと第２のパターン３０Ｂの間に、複数本のたて糸３を第３の色に着色した第３の糸３Ｃに置き換えて構成される識別表示部３０Ｃを有している。なお、本実施形態のジャケット１１において、第１の糸３Ａ、第２の糸３Ｂ、第３の糸３Ｃ以外のたて糸３は、未着色の素地の糸３Ｚで構成される。なお、未着色の素地の糸３Ｚは、一般的に白色である。
【００１８】
第１の斜線模様部３１Ａは、第１の色に着色した第１の糸３Ａと未着色の素地の糸３Ｚとをたて糸３として交互に複数本配列して構成される。本実施形態では、図２に示すように、第１の糸３Ａと素地の糸３Ｚとを交互に５本ずつ配列して構成されている。第１の直線模様部３２Ａは、ジャケット１１の周方向に第１の斜線模様部３１Ａの一方の端部に続けて第１の糸３Ａをたて糸３として複数本配列して構成されている。本実施形態では、図２に示すように、第１の直線模様部３２Ａは、第１の糸３Ａを５本並べて構成しており、第１の斜線模様部３１Ａに対して識別表示部３０Ｃとは反対側に位置する。
【００１９】
以上のように構成された第１の斜線模様部３１Ａ及び第１の直線模様部３２Ａは、図３に示すように、大ステッチで構成された図形として見た場合、第１の斜線模様部３１Ａが第１の直線模様部３２Ａに対して鋭角に接続され、回転非対称な方向性を有した第１のパターン３０Ａを構成する。
【００２０】
第２の斜線模様部３１Ｂは、第２の色に着色した第２の糸３Ｂと未着色の素地の糸３Ｚとをたて糸３として交互に複数本配列して構成される。本実施形態では、図２に示すように、第２の糸３Ｂと素地の糸３Ｚとを交互に５本ずつ配列して構成されている。第２の直線模様部３２Ｂは、ジャケット１１の周方向に第１の斜線模様部３１Ａに対して第１の直線模様部３２Ａが配置された側と反対側の第２の斜線模様部３１Ｂの端部に続けて第２の糸３Ｂをたて糸３として複数本配列して構成されている。本実施形態では、図２に示すように、第２の直線模様部３２Ｂは、第２の糸３Ｂを５本並べて構成しており、第２の斜線模様部３１Ｂに対して識別表示部３０Ｃとは反対側に位置している。
【００２１】
以上のように構成された第２の斜線模様部３１Ｂ及び第２の直線模様部３２Ｂは、図３に示すように、大ステッチで構成された図形として見た場合、第２の斜線模様部３１Ｂが第２の直線模様部３２Ｂに対して鋭角に接続され、回転非対称な方向性を有した第２のパターン３０Ｂを構成する。この第２のパターン３０Ｂは、第１のパターン３０Ａとは反対の方向を第１のパターン３０Ａと同様に幾何学模様によって表現している。
【００２２】
また第１のパターン３０Ａの第１の斜線模様部３１Ａ及び第２のパターン３０Ｂの第２の斜線模様部３１Ｂは、図３において、よこ糸４の１本分ずれた位置で隣り合う大ステッチどうしが連なって斜線Ｓを構成しているように見えるが、実際には図２に示すように、１つの未着色の素地の糸３Ｚによるたて糸３を一本隔てた第１の糸３Ａまたは第２の糸３Ｂによって構成されている。つまり、斜線Ｓは、斜文線Ａとは異なる方向に延びている。第１の斜線模様部３１Ａ、第１の直線模様部３２Ａ、第２の斜線模様部３１Ｂ、第２の直線模様部３２Ｂは、複数本のたて糸３によって構成されるものであって、上述の本数に限定されるものではない。
【００２３】
識別表示部３０Ｃは、第１の色及び第２の色とは異なる第３の色に着色された第３の糸３Ｃをたて糸３として複数本配列して構成される。本実施形態では、第１のパターン３０Ａ及び第２のパターン３０Ｂに対して未着色の素地の糸３Ｚを間に複数本配列している。素地の糸３Ｚの本数として、第１のパターン３０Ａ及び第２のパターン３０Ｂと識別表示部３０Ｃの境界が明確になる本数、例えば、第１の直線模様部３２Ａや第２の直線模様部３２Ｂと同じ太さになるようにするとよい。
【００２４】
また、本実施形態では、識別表示部３０Ｃは、２つの直線模様部３１Ｃ，３２Ｃによって構成されている。２つの直線模様部３１Ｃ，３２Ｃの間には、素地の糸３Ｚを複数本配列することで、直線模様部３１Ｃ，３２Ｃを明確にしている。なお、識別表示部３０Ｃは、本実施形態のように２つの直線模様部３１Ｃ，３２Ｃで構成されている以外に、間に素地の糸３Ｚを介さずに１つの直線模様部３１Ｃにしてもよいし、３つの直線模様部にしてもよい。また、第１の斜線模様部３１Ａや第２の斜線模様部３１Ｂのように斜文線Ａとは異なる方位に大ステッチを並べることによって形成される斜線Ｓを第３の糸３Ｃで構成してもよい。または、素地の糸３Ｚを間に２本ずつ配置して第３の糸３Ｃを並べ、識別表示部３０Ｃを構成してもよい。
【００２５】
以上のように構成された消防用ホース１は、図４に示すように３つの色（素地の糸３Ｚも一つの色として含めると４色）で配色された方向性を有した模様を表示することができる。図４は、図３において大ステッチで構成された第１のパターン３０Ａ、第２のパターン３０Ｂ、及び識別表示部３０Ｃのそれぞれの輪郭を、わかりやすくするために、直線的に表した模式図である。図２から図４は、消防用ホース１のジャケット１１の外表面の一部を示しており、各図の上側及び下側に同じ模様が消防用ホース１の全長にわたって設けられている。
【００２６】
本実施形態の場合、第１の色として青色を採用し、第２の色として赤色を採用する。また第３の色として緑色を採用する。青色の第１の色の第１の糸３Ａによって構成された第１のパターン３０Ａは、図３および図４の図中において上を指し示すような模様であり、その色が青い水を連想させるので、その先に延びた端部には、水源となるポンプ車に接続されるメス接続金具２２を取り付ける。また、赤色の第２の色の第２の糸３Ｂによって構成された第２のパターン３０Ｂは、図３および図４の図中において下を指し示すような模様であり、その色が赤い炎を連想させるので、その先に延びた端部には、火元に向けられる放水ノズルを接続するためのオス接続金具２１を取り付ける。
【００２７】
以上のように構成された消防用ホース１によれば、第１のパターン３０Ａ及び第２のパターン３０Ｂを有していることで、消防用ホース１に方向を表示する機能が生じ、その結果、第１のパターン３０Ａによって示される方向に向かうことで、速やかに、そして確実に、ポンプ車のある建屋外へ退避することができる。特に、消防用ホース１のどの部分をとっても同じ模様が現れているので、方向を特定することが容易である。
【００２８】
また、消防用ホース１の方向性を生み出しているのは着色された第１の糸３Ａ及び第２の糸３Ｂであって、それぞれに着色された糸をたて糸３として配置しているだけである。したがって、ジャケット１１は、屈曲性能や強度が従来品と全く変わりなく、かつ、製造装置や製造工程が変わらないため、着色された糸を使用すること以外に製造コストも変わらずに製造することができる。そして、着色された糸をたて糸３として組み入れているので、消防用ホース１を火災現場で取りまわす際に地面や通路の角でジャケット１１がこすれても、色がはげ落ちる心配もない。
【００２９】
なお、識別表示部３０Ｃの位置、すなわち第１のパターン３０Ａと第２のパターン３０Ｂとの間に、反射材を含有した帯状の合成樹脂層すなわち反射テープをたて糸３に沿って配置してもよい。消防用ホース１を見失っても、照明具などのわずかな光でも消防用ホース１の位置を容易に確認できるので、第１のパターン３０Ａ及び第２のパターン３０Ｂを基に速やかに建屋の外へ退避することができる。
【００３０】
以下に本発明に係る第２から第５の実施形態の消防用ホース１について各々図面を参照して説明する。各実施形態における消防用ホース１の構成のうち第１の実施形態の消防用ホース１と同じ機能を有する構成は、第１の実施形態の消防用ホース１の各部構成と同じ符号を付し、その詳細な説明は、第１の実施形態の記載および必要に応じて図面を参酌することとする。
【００３１】
本発明に係る第２の実施形態の消防用ホース１について、図５を参照して説明する。図５は、第１のパターン３０Ａ、第２のパターン３０Ｂ、識別表示部３０Ｃのそれぞれの輪郭を、第１の実施形態の図４と同様に、直線的に表した模式図である。
【００３２】
図５に示す第２の実施形態の消防用ホース１は、第１のパターン３０Ａにおける第１の斜線模様部３１Ａと第１の直線模様部３２Ａの配置、第２のパターン３０Ｂにおける第２の斜線模様部３１Ｂと第２の直線模様部３２Ｂの配置が、第１の実施形態の場合と比較して、ジャケット１１の周方向に入れ替わっている。つまり、第１の直線模様部３２Ａ及び第２の直線模様部３２Ｂが識別表示部３０Ｃ側に面して配置されている。
【００３３】
以上のように構成された消防用ホース１において、第１のパターン３０Ａは、図５において第１の斜線模様部３１Ａが第１の直線模様部３２Ａに対して鋭角をなす側と反対の方向を指し示す。すなわち、図５中において下向きの方向を指し示す印象を有した模様である。また第２のパターン３０Ｂは、第２の斜線模様部３１Ｂが第２の直線模様部３２Ｂに対して鋭角をなす側と反対側の方向を指し示す、すなわち図５中において上向きの方向を指し示す印象を有した模様であり、第１のパターン３０Ａとは反対の方向を指し示す。
【００３４】
したがって、第１の色として青色を採用し、第２の色として赤色を採用する場合、第１のパターン３０Ａは、図５において下に向う方向を指し示す印象を有しその色が青い水を連想させるので、その先に延びた端部には、水源となるポンプ車に接続されるメス接続金具２２を取り付ける。また、第２のパターン３０Ｂは、図５において上に向う方向を指し示しその色が赤い炎を連想させるので、その先に延びた端部には、火元に向けられる放水ノズルを接続するためのオス接続金具２１を取り付ける。
【００３５】
以上のように構成された第２の実施形態の消防用ホース１は、第１の実施形態の消防用ホース１と同様の機能、すなわち、方向を示す機能を有するので、建屋外へ退避する際に方向を確認する目印として利用することができる。
【００３６】
本発明に係る第３の実施形態の消防用ホース１について、図６を参照して説明する。本実施形態の消防用ホース１は、第１のパターン３０Ａ及び識別表示部３０Ｃを有し、第２のパターン３０Ｂを有していない。図６は、第１のパターン３０Ａ及び識別表示部３０Ｃのそれぞれ輪郭を、第１の実施形態の図４や第２の実施形態の図５と同様に、直線的に表した模式図である。
【００３７】
第３の実施形態における図６に示された第１のパターン３０Ａは、第２の実施形態の第１のパターン３０Ａと同じである。したがって、図６中において、第１のパターン３０Ａは、下向きの方向を指し示す印象を有した模様である。この第１のパターン３０Ａは、第１の色として青色を採用し、青色に着色された第１の糸３Ａで構成される。したがって、第１のパターン３０Ａは、図６において下に向う方向を指し示す印象を有し、その色が青い水を連想させるので、その先に延びた端部には、水源となるポンプ車に接続されるメス接続金具２２を取り付ける。またメス接続金具２２と反対側の端部には、オス接続金具２１を取り付ける。
【００３８】
以上のように構成された第３の実施形態の消防用ホース１は、少なくとも第１のパターン３０Ａを有していることによって、建屋内から外へ退避すべき方向を指し示すことができる。したがって、第３の実施形態の消防用ホース１も第１及び第２の実施形態の消防用ホース１と同様の効果を得ることができる。
【００３９】
本発明に係る第４の実施形態の消防用ホース１について、図７を参照して説明する。本実施形態の消防用ホース１は、第１のパターン３０Ａ及び識別表示部３０Ｃを有し、第２のパターン３０Ｂを有していない。図７は、第１のパターン３０Ａ及び識別表示部３０Ｃのそれぞれ輪郭を、第１の実施形態の図４と同様に、直線的に表した模式図である。
【００４０】
第４の実施形態における図７に示された第１のパターン３０Ａは、第１の実施形態の第１のパターン３０Ａと同じである、したがって、図７中において、第１のパターン３０Ａは、上向きの方向を指し示す印象を有した模様である。第４の実施形態における第１のパターン３０Ａは、第１の色として青色を採用し、青色に着色された第１の糸３Ａで構成される。第１のパターン３０Ａは、図７において上に向う方向を指し示す印象を有し、その色が青い水を連想させるので、その先に延びた端部には、水源となるポンプ車に接続されるメス接続金具２２を取り付ける。また、メス接続金具２２の反対側の端部には、オス接続金具２１を取り付ける。
【００４１】
以上のように構成された第４の実施形態の消防用ホース１は、少なくとも第１のパターン３０Ａを有していることによって、建屋内から外へ退避すべき方向を指し示すことができる。つまり、第４の実施形態の消防用ホース１も第１から第３の実施形態の消防用ホース１と同様の効果を奏する。
【００４２】
本発明に係る第５の実施形態の消防用ホース１について、図８を参照して説明する。本実施形態の消防用ホース１は、第１のパターン３０Ａのみをジャケット１１の外表面に有している。なお、識別表示部３０Ｃは、第１のパターン３０Ａに対してジャケット１１の周方向に反対側の位置に配置されていてもよい。
【００４３】
また、本実施形態の第１のパターン３０Ａにおいて、第１の斜線模様部３１Ａ及び第１の直線模様部３２Ａは、それぞれ第１から第４の実施形態の第１のパターン３０Ａと比較して、第１の斜線模様部３１Ａ及び第１の直線模様部３２Ａをそれぞれ構成する第１の糸３Ａの本数が多い。したがって、ジャケット１１の周方向に、第１のパターン３０Ａとして示される部分の幅が大きく、第１のパターン３０Ａを視覚的に判別しやすくなる。なお、識別表示部３０Ｃは、ジャケット１１の周方向に第１のパターン３０Ａに対して反対の位置（周方向に約半周した位置）に配置されていてもよい。また、識別表示部３０Ｃは、他の実施形態と同様に、反射材を含んだ帯状の合成樹脂層であってもよい。
【００４４】
以上のように構成された第５の実施形態の消防用ホース１において、図８に示した第１のパターン３０Ａは、第１の実施形態の図４に示した第１のパターン３０Ａと相似形であり、第１の色として青色を採用している。また、図８中の第１のパターン３０Ａは、第１の直線模様部３２Ａに対して第１の斜線模様部３１Ａが鋭角をなす側と反対側の方向を指し示す印象を有した模様である。したがって、第１のパターン３０Ａは、青色であり水を連想させるので、その指し示す方向の端部にメス接続金具２２を取り付け、反対側の端部にオス接続金具２１を取り付ける。
【００４５】
なお、第１のパターン３０Ａは、この消防用ホース１内を水が流れる向きを示すように利用してもよい。その場合は、第１のパターン３０Ａの指し示す方向の端部にオス接続金具２１を取り付け、反対側の端部にメス接続金具２２を取り付ける。
【００４６】
以上のように、第１から第５の実施形態に示した消防用ホース１は、第１の色に着色された第１の糸３Ａをたて糸３として、適宜に配列することで、回転非対称の図柄すなわち第１のパターン３０Ａを形成することで、方向を示す機能を有している。したがって、第１のパターン３０Ａによって示される方向を基に、速やかにかつ確実に、水源となるポンプ車へ辿り着くことができ、建屋外へ退避することができる。
【００４７】
以上、本発明について第１から第５の実施形態を基に説明した。これらの実施形態は、本発明を実施するにあたって理解しやすくするための一例に過ぎない。したがって、本発明を実施するにあたってその趣旨を逸脱しない範囲で、各構成を同等の機能を有するものに置き換えて実施することも可能であり、それらもまた本発明に含まれる。また、各実施形態で説明した構成のいくつかを互いに組み合わせて、あるいは置き換えて実施されることも本発明に含まれる。例えば第１から第５の実施形態の消防用ホース１において、第１の糸３Ａや第２の糸３Ｂを、蓄光剤を含有した合成樹脂製の糸に置き換えてもよいし、識別表示部３０Ｃを、蓄光剤を含有した合成樹脂製の糸に置き換えてもよい。
【００４８】
また、各実施形態において、第１のパターン３０Ａと識別表示部３０Ｃの間、及び、第２のパターン３０Ｂと識別表示部３０Ｃの間に、未着色の素地の糸３Ｚを複数本配置した部分を設けているが、間に素地の糸３Ｚを介さずに第１のパターン３０Ａと識別表示部３０Ｃ、及び第２のパターン３０Ｂと識別表示部３０Ｃをそれぞれ続けて配置してもよい。また、識別表示部３０Ｃを配置しない場合、第１のパターン３０Ａと第２のパターン３０Ｂを素地の糸３Ｚを介さずに続けて配置してもよい。
【符号の説明】
【００４９】
１…消防用ホース、１１…ジャケット、３…たて糸、３Ａ…第１の糸、３０Ａ…第１のパターン、３１Ａ…第１の斜線模様部、３２Ａ…第１の直線模様部、３Ｂ…第２の糸、３０Ｂ…第２のパターン、３１Ｂ…第２の斜線模様部、３２Ｂ…第２の直線模様部、３Ｃ…第３の糸、３０Ｃ…識別表示部、４…よこ糸、Ａ…斜文線。
【図１】
2017185042.tif 000003
【図２】
2017185042.tif 000004
【図３】
2017185042.tif 000005
【図４】
2017185042.tif 000006
【図５】
2017185042.tif 000007
【図６】
2017185042.tif 000008
【図７】
2017185042.tif 000009
【図８】
2017185042.tif 000010